(57)【要約】【課題】小米や糠が外部に飛散することを良好に防止できる精米機を提供することを目的とする。【解決手段】玄米を搗精する精米ロール６と、精米ロール６を外周側から囲むように配置されて精米室７の外殻をなし、多数の通気孔が設けられている精白網８と、精白網８を外周側から囲むように配置され、複数の吸気孔３３ａ、３３ｂを有する外筒ケーシング３３とを備えた精米機１において、前記外筒ケーシングを外周側から空間を有する状態で覆うとともに、上面が開口されている糠飛散防止カバー３６を設け、外筒ケーシング３３における糠飛散防止カバー３６で覆われる箇所に、外筒ケーシング３３の吸気孔３３ａ、３３ｂを集中させて設けた。【選択図】図５
2015196129.tif 000002
【特許請求の範囲】
【請求項１】
回転されて玄米を搗精する精米ロールと、精米ロールを外周側から囲むように配置されて精米室の外殻をなし、多数の通気孔が設けられている精白網と、精白網を外周側から空間を有する状態で囲むように配置され、複数の吸気孔を有する外筒ケーシングとを備え、外筒ケーシングの周方向の一方向側で、糠を含む空気を吸引する糠吸引通路が接続されている精米機であって、
前記外筒ケーシングを外周側から空間を有する状態で覆うとともに、その一部が開口されている部分を有する糠飛散防止カバーが設けられ、
前記外筒ケーシングにおける前記糠飛散防止カバーで覆われる箇所に、前記外筒ケーシングの吸気孔が集中させて設けられて、前記糠飛散防止カバー内の空間を吸引可能に構成されている
ことを特徴とする精米機。
【請求項２】
最も下方に形成された前記吸気孔の下端部の位置が糠飛散防止カバー内の底面と同じ高さに形成されていることを特徴とする請求項１に記載の精米機。
【請求項３】
前記外筒ケーシングの下端部に形成された吸気孔が長孔形状とされ、この長孔形状の吸気孔の下辺部が、糠飛散防止カバー内の底面と同じ高さに形成されていることを特徴とする請求項２に記載の精米機。
【請求項４】
精白網と外筒ケーシングとの間の空間である糠吸引室の底面部は、糠飛散防止カバー内の空間である糠飛散防止室の底面部よりも低い位置になるよう配設されていることを特徴とする請求項３に記載の精米機。
【請求項５】
前記精米ロールに対して前記糠吸引通路が接続されている側と反対側に糠飛散防止カバーが設けられていることを特徴とする請求項１〜４の何れか１項に記載の精米機。
【請求項６】
外筒ケーシングの下端部により、外筒ケーシング内の空間である糠吸引室の底面部を外周側から覆うように構成した請求項１〜５の何れか１項に記載の精米機。
【発明の詳細な説明】
【技術分野】
【０００１】
本発明は精米機に関し、特に、精米機の外に小米や糠が飛散することを防止する構造に関する。
【背景技術】
【０００２】
特許文献１、２などに、いわゆる縦型の精米機５１が開示されている。この種の精米機５１を図８〜図１３に示す。図９〜図１２などに示すように、精米機５１は、縦方向に配置された本体ケーシング２内に、図外の駆動モータにより駆動プーリ３を介して回転される中空の駆動軸４が上下方向に延びる軸心に沿って配設されている。駆動軸４の上部には、玄米を下方に送る送りロール５が取り付けられ、駆動軸４の下部には、突条部６ａを有する精米ロール６が取り付けられている。そして、これらの送りロール５および精米ロール６が駆動軸４とともに一体的に回転される。
【０００３】
図１２、図１３などにも示すように、送りロール５および精米ロール６の外周側には精米室（搗精部）７の外殻部分をなし、多数の通気孔８ａを有する金属製の精白網８が配設されている。そして、精米室７内で発生した糠を、糠吸引通路１２に接続された糠用送風機１１により、空気とともに吸引して糠袋（図示せず）側に排出するよう構成されている。なお、精白網８は、外周側から保持する周方向２つ割の保持枠１３や、上端部や下端部で環状に延び、その周方向の２箇所から上下方向に立設する立設部３４ｂを有する支持枠３４により支持されている。
【０００４】
図８、図１１、図１２に示すように、精白網８の外周側には、本体ケーシング２の外殻をなす略円筒形状の外筒ケーシング（搗精部ケーシング）５３が外径方向に空間を有する状態で配設され、外筒ケーシング５３には上下方向ならびに周方向に間隔をあけて複数の丸孔状の吸気孔５３ａや長孔状の吸気孔５３ｂが形成されている。なお、外筒ケーシング５３は平面視半円形の２つの外筒ケーシング５３Ａ、５３Ｂがヒンジ部３１およびスプリングパンチ錠３２を介して開閉可能に組み合わされて構成されている。
【０００５】
ここで、外筒ケーシング５３の丸孔状の吸気孔５３ａは、外筒ケーシング５３における糠吸引通路２が接続された側と反対側に多く形成され、これより離れるにつれて少なく形成されている。また、図８、図１１に示すように、長孔状の吸気孔５３ｂは、外筒ケーシング５３の下端近傍における糠吸引通路１２が接続された側と反対側に形成され、この長孔状の吸気孔５３ｂは、支持枠３４の底面部３４ａ（すなわち、精白網８と外筒ケーシング５３との間の空間である糠吸引室１６の底面部）より少しだけ上方の位置に形成されている。また、精米室７は下方側ほど糠が多く発生して溜まりやすいため、前記吸気孔５３ｂは長孔状とされて空気の吸引量が他の箇所より多くなるように構成している。また、外筒ケーシング５３は支持枠３４の底面部３４ａ上に載せられた状態で配設されている。
【０００６】
図８〜図１０などに示すように、本体ケーシング２の上部には、玄米を一時的に溜める玄米タンク１５から供給された玄米を精米室７内に送り込む供給用スクリュ９および供給用ケーシング１０を配設している。本体ケーシング２の下端部に配設された下部ケーシング２ａには、精米室７の下端の白米出口１４を開閉するように出退するとともに白米出口１４から排出される白米を下方に導く開度調整部材２１が昇降自在に配設されている。開度調整部材２１は、この開度調整部材２１に連結された開度調整用駆動アーム２２を介して開度調整用付勢ばね２３により、白米出口１４を閉じる方向に付勢している。この付勢力は、開度調整用モータ２４にて回転される回転軸２４ａに螺合して昇降される開度調整用ブロック２５により調整可能とされている。
【０００７】
このような構成において、送りロール５および精米ロール６を回転されている状態で、玄米タンク１５からの玄米が送りロール５により精米室７の下方側に順次送られ、精米室７内で玄米同士が擦れ合ったり精白網８に押し付けられたりして、玄米の表面の糠が分離されて白米とされる。精米室７内で発生した糠は、精白網８や精白網８と外筒ケーシング５３との間の空間（糠吸引室１６とも称す）を通して、所定箇所に配設された糠用送風機により吸引されて糠袋側に排出される。また、糠が分離された白米が開度調整部材２１を下方に押圧して徐々に移動させたり、精米終了時に開度調整部材２１が下降されたりするなどして、白米は白米出口１４から下方に排出される。
【先行技術文献】
【特許文献】
【０００８】
【特許文献１】特開２００７−１６０１５６号公報
【特許文献２】特開２００３−３１１１６２号公報
【発明の概要】
【発明が解決しようとする課題】
【０００９】
しかしながら、従来の精米機５１では、図１１に示すように、外筒ケーシング５３の吸気孔５３ａ、５３ｂは吸気される構造、すなわち、精白網８と外筒ケーシング５３との間の空間である糠吸引室１６内に外気が吸引される構造ではあるものの、糠に交じって糠吸引室１６内に排出される小米Ｘが、糠と比べて比較的大きな質量を有するため、外筒ケーシング５３の吸気孔５３ａ、５３ｂを通して外部に飛散するという課題を生じていた。また、糠の一部が、外筒ケーシング５３の吸気孔５３ａ、５３ｂを通して、外部に飛散する課題もあった。なお、糠吸引室１６内に溜まった小米Ｘや糠が外部に出難くなるように、長孔形状の吸気孔５３ｂを、外筒ケーシング５３を支持する支持枠３４の底面部３４ａより少しだけ上方の位置に形成させているが、この構成だけでは、小米Ｘや糠が外部に飛散することを良好には防止できなかった。
【００１０】
なお、外筒ケーシング５３の吸気孔５３ａ、５３ｂから精米機５１の外部に飛散した小米Ｘや糠は、例えば、精米機５１の下方に配設されている、仕切壁の底板３０上に溜まっており（図１１参照）、定期的に底板３０上の小米Ｘや糠を除去すべく掃除していた。
【００１１】
本発明は上記課題を解決するもので、小米や糠が外部に飛散することを良好に防止できる精米機を提供することを目的とする。
【課題を解決するための手段】
【００１２】
上記課題を解決するために本発明は、回転されて玄米を搗精する精米ロールと、精米ロールを外周側から囲むように配置されて精米室の外殻をなし、多数の通気孔が設けられている精白網と、精白網を外周側から空間を有する状態で囲むように配置され、複数の吸気孔を有する外筒ケーシングとを備え、外筒ケーシングの周方向の一方向側で、糠を含む空気を吸引する糠吸引通路が接続されている精米機であって、前記外筒ケーシングを外周側から空間を有する状態で覆うとともにその一部が開口されている部分を有する糠飛散防止カバーが設けられ、前記外筒ケーシングにおける前記糠飛散防止カバーで覆われる箇所に、前記外筒ケーシングの吸気孔が集中させて設けられて、前記糠飛散防止カバー内の空間を吸引可能に構成されていることを特徴とする。
【００１３】
上記構成によれば、外筒ケーシングにおける糠飛散防止カバーで覆われる箇所に、外筒ケーシングの吸気孔が集中して設けられているため、外筒ケーシングの吸気孔から小米や糠が外筒ケーシングより外部に排出されることがあっても、糠飛散防止カバー内に留まることとなる。そして、糠飛散防止カバー内に小米や糠が留まった場合でも、糠飛散防止カバーの上面の開口部から糠飛散防止カバー内の空気が、外筒ケーシングの吸気孔を通して、外筒ケーシング内の空間から糠吸引通路側に吸引される。これにより、小米や糠が精米機の外部に飛散することを良好に防止できる。また、糠飛散防止カバー内に小米や糠が留まった場合でも、外筒ケーシング内の空間から糠吸引通路側に吸引されるため、糠飛散防止カバー内に留まる小米や糠の量を最小限に抑えることができて、糠飛散防止カバー内を掃除しなくても済んだり、掃除する回数を減らしたりすることができる。
【００１４】
また、本発明は、最も下方に形成された前記吸気孔の下端部の位置が糠飛散防止カバー内の底面と同じ高さに形成されていることを特徴とする。この構成により、糠飛散防止カバー内の底面上に小米や糠が留まった場合でも、これらの小米や糠が底面に沿って移動しながら吸気孔から良好に吸引され、糠飛散防止カバー内に留まる小米や糠を最小限に抑えることができる。
【００１５】
また、本発明は、前記外筒ケーシングの下端部に形成された吸気孔が長孔形状とされ、この長孔形状の吸気孔の下辺部が、糠飛散防止カバー内の底面と同じ高さに形成されていることを特徴とする。この構成によれば、吸気孔が長孔形状であるため、外筒ケーシングの糠飛散防止カバー内の底面上に小米や糠が留まった場合でも、これらの小米や糠を長孔形状の吸気孔から極めて良好に吸引され、糠飛散防止カバー内に留まる小米や糠を最小限に抑えることができる。
【００１６】
また、本発明は、精白網と外筒ケーシングとの間の空間である糠吸引室の底面部は、糠飛散防止カバー内の空間である糠飛散防止室の底面部よりも低い位置になるよう配設されていることを特徴とする。この構成により、糠飛散防止室の底面部上に溜まった小米や糠が、長孔形状の吸気孔を通して、糠飛散防止室から糠吸引室内に流入すると、再度、糠飛散防止室側に逆流し難くなり、これにより、小米や糠が精米機の外部に飛散することをより確実に防止できる。
【００１７】
また、本発明は、前記精米ロールに対して前記糠吸引通路が接続されている側と反対側に糠飛散防止カバーが設けられていることを特徴とする。この構成により、吸気孔が、外筒ケーシングにおける前記精米ロールに対して前記糠吸引通路が接続されている側と反対側に集中して設けられることとなるため、吸気孔から吸引された空気が、糠吸引室内における、前記糠吸引通路が接続されている側と反対側の箇所から前記糠吸引通路が接続されている側に向けて周方向に良好に流れ、この結果、糠吸引室内で発生した糠や小米が前記糠吸引通路側に良好に吸引される。
【００１８】
また、本発明は、外筒ケーシングの下端部により、外筒ケーシング内の空間である糠吸引室の底面部を外周側から覆うように構成したことを特徴とする。この構成により、外筒ケーシングの下端部を、糠吸引室の底面部上に単に載せた構成する場合と比較して、外筒ケーシングと糠吸引室の底面部との間の隙間から小米や糠が外部に飛散することを最小限に抑えることができる。
【発明の効果】
【００１９】
本発明によれば、前記外筒ケーシングを外周側から空間を有する状態で覆うとともに、その一部が開口されている部分を有する糠飛散防止カバーを設け、前記外筒ケーシングにおける前記糠飛散防止カバーで覆われる箇所に、前記外筒ケーシングの吸気孔を集中させて設けたことにより、小米や糠が精米機の外部に飛散することを良好に防止でき、また、糠飛散防止カバー内を掃除しなくても済んだり、掃除する回数を減らしたりすることができ、掃除の手間を省くことができる。
【００２０】
また、最も下方に形成された吸気孔の下端部の位置を糠飛散防止カバー内の底面と同じ高さに形成することにより、糠飛散防止カバー内に留まる小米や糠を最小限に抑えることができる。さらに外筒ケーシングの下端部に形成された吸気孔を長孔形状とし、この長孔形状の吸気孔の下辺部を、糠飛散防止カバー内の底面と同じ高さに形成することにより、糠飛散防止カバー内に留まる小米や糠を一層少なく抑えることができる。
【００２１】
また、精白網と外筒ケーシングとの間の空間である糠吸引室の底面部を、糠飛散防止カバー内の空間である糠飛散防止室の底面部よりも低い位置になるよう配設することにより、糠飛散防止室の底面部上に溜まった小米や糠が、糠飛散防止室から糠吸引室内に流入すると、再度、糠飛散防止室側に逆流し難くなり、小米や糠が精米機の外部に飛散することをより確実に防止でき、信頼性が向上する。
【００２２】
また、前記精米ロールに対して前記糠吸引通路が接続されている側と反対側に糠飛散防止カバーが設けられていることにより、吸気孔から吸引された空気が、糠吸引室内における、前記糠吸引通路が接続されている側と反対側の箇所から前記糠吸引通路が接続されている側に向けて周方向に良好に流れ、この結果、糠吸引室内で発生した糠や小米が前記糠吸引通路側に良好に吸引され、良好な信頼性を維持できる。
【００２３】
また、外筒ケーシングにより、前記外筒ケーシング内の空間である糠吸引室の底面部を外周側から覆うように構成することにより、外筒ケーシングと糠吸引室の底面部との間の隙間から小米や糠が外部に飛散することを最小限に抑えることができる。
【図面の簡単な説明】
【００２４】
【図１】本発明の実施の形態に係る精米機およびその近傍箇所の側面図である。
【図２】同精米機の正面断面図で白米出口が閉じられている状態を示す。
【図３】同精米機の正面断面図で白米出口が開けられている状態を示す。
【図４】同精米機が設けられている精米設備の側面断面図である。
【図５】同精米機の側面断面図である。
【図６】同精米機の平面断面図である。
【図７】（ａ）および（ｂ）は同精米機の変形例を示す要部側面図および一部切欠側面図であり、（ａ）は外筒ケーシングを支持枠に組み付ける前の状態を示し、（ｂ）は外筒ケーシングを支持枠に組み付けた状態を示す。
【図８】従来の精米機およびその近傍箇所の側面図である。
【図９】同従来の精米機の正面断面図で白米出口が閉じられている状態を示す。
【図１０】同従来の精米機の正面断面図で白米出口が開けられている状態を示す。
【図１１】同従来の精米機の側面断面図である。
【図１２】同従来の精米機の平面断面図である。
【図１３】同従来の精米機の外筒ケーシングなどを取り外した状態を示す斜視図である。
【発明を実施するための形態】
【００２５】
以下、本発明の実施の形態について、図面を用いて説明する。なお、本発明の実施の形態に係る精米機１における、従来の精米機５１と同様な機能の構成要素には同符号を付して、その説明は一部省略する。
【００２６】
図１〜図４などに示すように、この精米機１においても、駆動軸４とともに送りロール５および精米ロール６が回転されることにより、精米室７内で玄米が搗精（精米）されて、白米出口１４を介して白米が排出される。精米室７内で発生した糠は、多数の通気孔８ａが設けられた金属製の精白網８を通して吸引され、糠吸引通路１２に接続された糠用送風機１１により、糠袋４１（図４参照）側に排出される。なお、図４は、本発明の精米機１が、いわゆるコイン精米設備とも称せられる精米設備４０に設けられた例を示している。図外の玄米投入口に玄米が投入されると、この玄米が玄米タンク１５に搬送され、精米機１に送られる。精米機１で、精米された白米は、利用客が自由に出入りできる客室４２に配設された白米タンク４３内に排出される。精米機１は利用客が出入りできない機械室４４側に配設されており、客室４２と機械室４４とは仕切壁４５により仕切られている。精米機１の下端部は、仕切壁４５の一部で仕切壁４５において水平に延びるように配設された底面部３０を通して客室４２側に突出されている。
【００２７】
本実施の形態の精米機１は従来の精米機５１とは、外筒ケーシング３３の構造などが異なっている。すなわち、図１、図５、図６に示すように、本実施の形態の外筒ケーシング３３は、精白網８を外周側から囲むように配置され、複数の吸気孔３３ａ、３３ｂを有する点では、従来の精米機５１と同様であるが、外筒ケーシング３３の吸気孔３３ａの位置が異なるとともに、吸気孔３３ａ、３３ｂが設けられている領域を覆う糠飛散防止カバー３６が設けられている点が従来の精米機５１と異なっている。糠飛散防止カバー３６は外筒ケーシング３３における糠吸引通路１２が接続されている側と反対側に空間を有した状態で外周側から覆うように配設されており、上面が開口された開口部３６ａを有する構造とされている。そして、外筒ケーシング３３における糠飛散防止カバー３６で覆われる箇所に、外筒ケーシング３３の吸気孔３３ａ、３３ｂを集中させて設けており、糠飛散防止カバー３６内の空間（糠飛散防止カバー３６と外筒ケーシング３３との間の空間であり、糠飛散防止室３７とも称す）を吸引可能に構成している。なお、外筒ケーシング３３は平面視半円形の２つの外筒ケーシング３３Ａ、３３Ｂがヒンジ部３１およびスプリングパンチ錠３２を介して開閉可能に組み合わされて構成されている。
【００２８】
より詳しく述べると、外筒ケーシング３３（具体的には、糠吸引通路１２とは接続されていない側に配設されている外筒ケーシング３３Ａ）には、糠飛散防止カバー３６で覆われている領域において上下方向ならびに周方向に間隔をあけて複数の丸孔状の吸気孔３３ａと長孔状の吸気孔３３ｂとが形成されている。そして、長孔状の吸気孔３３ｂは、外筒ケーシング３３（３３Ａ）の下端部における糠吸引通路１２が接続されてなる側と反対側に形成され、この長孔形状の吸気孔３３ｂの下辺部は、糠飛散防止カバー３６内の底面と同じ高さに形成されている（図５参照）。なお、外筒ケーシング３３（３３Ａ）の長孔状の吸気孔３３ｂは、精白網８と外筒ケーシング５３との間の空間である糠吸引室１６の底面部より少しだけ上方の位置に形成されている。したがって、精白網８と外筒ケーシング３３との間の空間である糠吸引室１６の底面部１６ａは、糠飛散防止カバー内の空間（糠飛散防止室３７とも称す）の底面部３７ａよりも若干低い位置になるよう構成されている。また、この実施の形態では、外筒ケーシング３３は、外筒ケーシング３３を支持する支持枠３４の底面部３４ａ上に載せられた状態で配設されている。
【００２９】
上記構成によれば、外筒ケーシング３３における糠飛散防止カバー３６で覆われる箇所に、外筒ケーシング３３の吸気孔３３ａ、３３ｂが集中して設けられているため、外筒ケーシング３３の吸気孔３３ａ、３３ｂから小米Ｘや糠が外筒ケーシング３３より外部に排出されることがあっても、糠飛散防止カバー３６内に留まることとなる。そして、糠飛散防止カバー３６内に小米Ｘや糠が留まった場合でも、糠飛散防止カバー３６の上面の開口部３６ａから糠飛散防止カバー３６内（すなわち、糠飛散防止室３７）の空気が、外筒ケーシング３３の吸気孔３３ａ、３３ｂを通して、外筒ケーシング３３内の空間（糠吸引室１６）から糠吸引通路１２側に吸引される。これにより、小米Ｘや糠が精米機１の外部に飛散することを良好に防止できるとともに、糠飛散防止カバー３６内（すなわち、糠飛散防止室３７）の小米Ｘや糠が増加し難いため、糠飛散防止カバー３６内を掃除しなくても済んだり、掃除する回数を減らしたりすることができ、掃除の手間を省くことができる。
【００３０】
また、外筒ケーシング３３（３３Ａ）において最も下方に形成された長孔状の吸気孔３３ｂの位置が糠飛散防止カバー３６内（糠飛散防止室３７）の底面と同じ高さに形成されているので、糠飛散防止カバー３６内の底面上に小米Ｘや糠が留まった場合でも、これらの小米Ｘや糠が底面に沿って移動しながら長孔状の吸気孔３３ｂから良好に吸引され、糠飛散防止カバー３６内に留まる小米Ｘや糠を最小限に抑えることができる。
【００３１】
また、吸気孔３３ｂが長孔形状であるため、糠飛散防止カバー３６内の底面上に小米Ｘや糠が留まった場合でも、これらの小米Ｘや糠を長孔形状の吸気孔３３ｂから極めて良好に吸引でき、糠飛散防止カバー３６内に留まる小米Ｘや糠を最小限に抑えることができる。
【００３２】
また、精白網８と外筒ケーシング３３との間の空間である糠吸引室１６の底面部が、糠飛散防止カバー３６内の空間である糠飛散防止室３７の底面部よりも低い位置になるよう配設されているため、糠飛散防止室３７の底面部上に溜まった小米Ｘや糠が、長孔形状の吸気孔３３ｂを通して糠吸引室１６内に一旦、流入すると、再度、糠飛散防止室３７側に流れ込もうとした場合でも糠飛散防止室３７側には高くなる段差によって逆流し難くなり、この結果、小米Ｘや糠が精米機１の外部に飛散することをより確実に防止でき、信頼性が向上する。
【００３３】
また、糠飛散防止カバー３６が、精米ロール６に対して糠吸引通路１２が接続されている側と反対側に設けられており、吸気孔３３ａ、３３ｂも、外筒ケーシング３３における精米ロール６に対して糠吸引通路１２が接続されている側と反対側に集中して設けられているため、糠飛散防止室３７を通して吸気孔３３ａ、３３ｂから吸引された空気が、糠吸引室１６内における、糠吸引通路１２が接続されている側と反対側の箇所から糠吸引通路１２が接続されている側に向けて周方向に良好に流れる。この結果、糠吸引室１６内で発生した糠や小米Ｘが糠吸引通路１２側に良好に吸引され、良好な信頼性を維持できる。
【００３４】
また、上記実施の形態では、外筒ケーシング３３は、外筒ケーシング３３を支持する支持枠３４の底面部３４ａ上に載せられた状態で配設されている場合を述べたが、これに限るものではない。例えば、図７（ａ）、（ｂ）に簡略的に示すように、支持枠３４の底面部３４ａより側方に突出する突部３４ｃを形成し、この突部３４ｃ上に外筒ケーシング３３が載った状態で支持するよう構成し、外筒ケーシング３３（３３Ａ、３３Ｂ）の下端部が支持枠３４の底面部３４ａを外周側から覆うように構成してもよい。これにより、糠吸引室１６の底面部が精米機１の外部に直接露出せずに覆われるため、外筒ケーシング３６と糠吸引室１６の底面部との間の隙間から小米Ｘや糠が外部に飛散することを最小限に抑えることができ、さらに信頼性が向上する。
【００３５】
また、上記実施の形態では、糠飛散防止カバー３６は上面が開口され、この上面開口部３６ａが外部に露出している場合を示したが、これに限るものではない。すなわち、上面開口部３６ａを有し、この上面開口部３６ａを通して外部から空気を導入する構造であればよく、最終的には必ずしも糠飛散防止カバー３６の上面が開放（開口）されている必要はなく、上面開口部を通して下方や側方に開放（開口）されている箇所から空気を導入するように構成してもよい。
【符号の説明】
【００３６】
１      精米機
４      駆動軸
６      精米ロール
７      精米室
８      精白網
１１    糠用送風機
１２    糠吸引通路
１３    保持枠
１６    糠吸引室
３３、３３Ａ、３３Ｂ    外筒ケーシング
３３ａ、３３ｂ    吸気孔
３４    支持枠
３６    糠飛散防止カバー
３６ａ  開口部
３７    糠飛散防止室
４０    精米設備
【図１】
2015196129.tif 000003
【図２】
2015196129.tif 000004
【図３】
2015196129.tif 000005
【図４】
2015196129.tif 000006
【図５】
2015196129.tif 000007
【図６】
2015196129.tif 000008
【図７】
2015196129.tif 000009
【図８】
2015196129.tif 000010
【図９】
2015196129.tif 000011
【図１０】
2015196129.tif 000012
【図１１】
2015196129.tif 000013
【図１２】
2015196129.tif 000014
【図１３】
2015196129.tif 000015